(57)【要約】【課題】低コストで人体の顔や手への電力吸収を低減できて通話性能の向上が図れる携帯無線機を提供する。【解決手段】携帯無線機１の上部筐体１０Ａの内部の底面上で、上部筐体１０Ａの短手方向の略中央に第１の誘電率より高い第２の誘電率を有する誘電体２０を設けた。これにより、誘電体２０に電界が集中して誘電体２０を設けた部分以外の部分におけるエネルギー密度が低減し、人体の顔への電力吸収が低減して、誘電体２０を有しない従来の携帯無線機と比べて通話性能の向上が図れる。即ち、受信時には感度が向上し、送信時には送信出力が向上する。【選択図】図１
2010161441.tif 000002
【特許請求の範囲】
【請求項１】
第１の誘電率を有する非導体で構成される筐体と、
前記筐体に設けられた回路基板と、
前記回路基板に設けられた無線回路と、
前記無線回路に接続されたアンテナ素子と、
前記筐体の短手方向の略中央に配置され前記第１の誘電率より高い第２の誘電率を有する誘電体と、
を備えた携帯無線機。
【請求項２】
第１の誘電率を有する非導体で構成される第１の筐体と、
前記第１の誘電率を有する非導体で構成される第２の筐体と、
前記第１の筐体と前記第２の筐体とを回動自在に連結するヒンジ部と、
前記第２の筐体に設けられた回路基板と、
前記回路基板に設けられた無線回路と、
前記無線回路に接続され前記第２の筐体の前記ヒンジ部側に配置されたアンテナ素子と、
前記第１の筐体及び前記第２の筐体のうち少なくともいずれか一方の短手方向の略中央に配置され前記第１の誘電率より高い第２の誘電率を有する誘電体と、
を備えた携帯無線機。
【請求項３】
放音手段を備え、前記放音手段とは前記筐体の厚み方向の反対側に前記誘電体を配置した請求項１又は請求項２に記載の携帯無線機。
【請求項４】
前記第１の筐体及び前記第２の筐体の両方に前記誘電体を配置する場合、前記第１の筐体と前記第２の筐体とで前記誘電体の誘電率を異ならせる請求項２に記載の携帯無線機。
【発明の詳細な説明】
【技術分野】
【０００１】
本発明は、携帯電話やＰＨＳ（Personal Handy Phone System）等の携帯無線機に関する。
【背景技術】
【０００２】
従来、携帯電話やＰＨＳ等の携帯無線機において、例えば特許文献１〜特許文献３にあるように、電波の放射効率の向上を図る提案がなされている。特許文献１で開示された小型携帯電話機は、折り畳み構造で、２つの筐体のそれぞれの内部に、外側に指向性を持つ平面アンテナを有し、２つの平面アンテナの間隔を、本体が開かれた状態では少なくとも手の平の幅と同程度かそれより大きくなるようにしている。また、特許文献２で開示された無線端末装置は、放射器の他に、該放射器の放射素子より０．０１λ〜０．１λ長い無給電素子を０．０１λ〜０．１λ間隔離して配置するようにしている。また、特許文献３で開示されたアンテナは、給電素子と、この給電素子に対して所定の間隔で配置した無給電素子と、この無給電素子の少なくとも給電素子側を指向する面部に積層した磁性体を含む構成としている。
【０００３】
【特許文献１】特開２００２−２２３１０７号公報
【特許文献２】特開２００２−１７１１９０号公報
【特許文献３】特開２００６−２２２８７３号公報
【発明の開示】
【発明が解決しようとする課題】
【０００４】
しかしながら、従来の携帯無線機にあっては、無線機本体を顔に近づけたり、手で持ったりすることで電波が吸収されてしまう分だけ、受信時において感度が下がり、送信時において送信出力が低下するなど通話性能が良くないという問題がある。上述した特許文献１〜３で開示された技術はいずれも電波の放射効率の向上が図れるが、特許文献１及び２の技術ではアンテナを少なくとも２本必要とするのでコストが嵩み、特許文献３の技術では使用者の手や顔が接近すると特性が変化してしまう問題がある。なお、人体が電波に晒されることによって単位質量の組織に単位時間に吸収されるエネルギー量はＳＡＲ（Specific Absorption Rate、比吸収率）と呼ばれる。このＳＡＲを使うと、従来の携帯無線機は、顔に近づけられたり、手で持ったりした場合にＳＡＲ値が大きくなる。
【０００５】
本発明は、係る事情に鑑みてなされたものであり、低コストで人体の顔や手への電力吸収を低減できて通話性能の向上が図れる携帯無線機を提供することを目的とする。
【課題を解決するための手段】
【０００６】
本発明の携帯無線機は、第１の誘電率を有する非導体で構成される筐体と、前記筐体に設けられた回路基板と、前記回路基板に設けられた無線回路と、前記無線回路に接続されたアンテナ素子と、前記筐体の短手方向の略中央に配置され前記第１の誘電率より高い第２の誘電率を有する誘電体と、を備えた。
【０００７】
上記構成によれば、筐体の手が直接触れない部分を第１の誘電率より高い第２の誘電率を有する誘電体としたので、該誘電体端部に電界が集中して該誘電体端部以外の部分におけるエネルギー密度が低減し、これによって誘電体以外の部分を手で持つことで手への電力吸収が低減する（即ち、人体の手による影響が低減する）。このように筐体の手が直接触れない部分を高誘電体とし、手が直接触れる部分を低誘電体とすることで手への電力吸収を低くすることが可能となり、これにより従来と比べて通話性能が向上し、受信時には感度が向上し、送信時には送信出力が向上する。また、誘電体を追加するだけなので、コストアップを最小限に抑えることができる。この発明は、筐体が１つのストレート式の携帯無線機に好適である。
【０００８】
本発明の携帯無線機は、第１の誘電率を有する非導体で構成される第１の筐体と、前記第１の誘電率を有する非導体で構成される第２の筐体と、前記第１の筐体と前記第２の筐体とを回動自在に連結するヒンジ部と、前記第２の筐体に設けられた回路基板と、前記回路基板に設けられた無線回路と、前記無線回路に接続され前記第２の筐体の前記ヒンジ部側に配置されたアンテナ素子と、前記第１の筐体及び前記第２の筐体のうち少なくともいずれか一方の短手方向の略中央に配置され前記第１の誘電率より高い第２の誘電率を有する誘電体と、を備えた。
【０００９】
上記構成によれば、第１の筐体及び第２の筐体のうち少なくともいずれか一方の手が直接触れない部分を第１の誘電率より高い第２の誘電率を有する誘電体としたので、該誘電体端部に電界が集中して該誘電体端部以外の部分におけるエネルギー密度が低減し、これによって誘電体以外の部分を手で持つことで手への電力吸収が低減する（即ち、人体の手による影響が低減する）。このように、筐体の手が直接触れない部分を高誘電体とし、手が直接触れる部分を低誘電体とすることで手への電力吸収を低くすることが可能となり、これにより従来と比べて通話性能が向上し、受信時には感度が向上し、送信時には送信出力が向上する。また、誘電体を追加するだけなので、コストアップを最小限に抑えることができる。この発明は、筐体が２つの部分からなる折り畳み式の携帯無線機に好適である。
【００１０】
上記構成において、放音手段を備え、前記放音手段とは前記筐体の厚み方向の反対側に前記誘電体を配置した。
【００１１】
上記構成によれば、放音手段として音声を出力するスピーカとした場合、スピーカが人体の耳に最も近くに来ることから、誘電体をスピーカとは筐体の厚み方向の反対側に配置することで人の顔への電力吸収が低減する。即ち、人の顔から離れる方向に誘電体を配置することで人の顔への電力吸収が低減する。
【００１２】
また、上記構成において、前記第１の筐体及び前記第２の筐体の両方に前記誘電体を配置する場合、前記第１の筐体と前記第２の筐体とで前記誘電体の誘電率を異ならせる。
【００１３】
上記構成によれば、第１の筐体と第２の筐体とで誘電体の誘電率を異ならせるので、誘電率の高い方の誘電体端部に電界を集中させることができる。
【発明の効果】
【００１４】
本発明は、筐体の人体の手や顔が直接触れない部分をそれ以外の部分よりも高い誘電率を有する誘電体としたので、誘電体端部に電界が集中して該誘電体端部以外の部分におけるエネルギー密度が低減し、人体の手や顔への電力吸収が低減する。これにより、従来と比べて通話性能の向上が図れ、受信時には感度が向上し、送信時には送信出力が向上する。また、誘電率の高い誘電体を追加するだけなので、コストアップを最小限に抑えることができる。
【発明を実施するための最良の形態】
【００１５】
以下、本発明を実施するための好適な実施の形態について、図面を参照して詳細に説明する。
【００１６】
（実施の形態１）
図１は、本発明の実施の形態１に係る携帯無線機の外観を示す背面図である。また、図２は本実施の形態に係る携帯無線機の使用状態を示す図である。図１及び図２において、本実施の形態の携帯無線機１は、筐体が上部筐体（第１の筐体）１０Ａと下部筐体（第２の筐体）１０Ｂの２つの部分からなる折り畳み式の携帯無線機である。上部筐体１０Ａと下部筐体１０Ｂは、それぞれ第１の誘電率を有する非導体で構成される。上部筐体１０Ａと下部筐体１０Ｂはヒンジ部１１によって回動自在に連結されている。
【００１７】
下部筐体１０Ｂには回路基板１２が内蔵されており、この回路基板１２には無線回路１３が実装されている。無線回路１３には下部筐体１０Ｂのヒンジ部１１側に配置されたアンテナ素子１４が接続されている。また、下部筐体１０Ｂの正面側にはテンキーやファンクションキー等のキー操作部（図示略）とマイク１５（図２参照）が設けられている。また、下部筐体１０Ｂの背面側には電池（図示略）を収容する部分を閉じる蓋１６（図１参照）が設けられている。
【００１８】
上部筐体１０Ａには、その背面側にサブ表示器１７とカメラ１８が設けられており、正面側にメイン表示器（図示略）やスピーカ１９（図２参照）等が設けられている。スピーカ１９は放音手段に対応するものであり、通信相手の音声を出力する。また、上部筐体１０Ａの内部の底面上で、上部筐体１０Ａの短手方向の略中央に第１の誘電率より高い第２の誘電率を有する誘電体２０が設けられている。この場合、上部筐体１０Ａには、サブ表示器１７とカメラ１８のために開けられた窓部（図示略）があるので、誘電体２０はこれらを避けるように設けられている。なお、上部筐体１０Ａの内部の底面とは、サブ表示器１７とカメラ１８と対向する面である（実際はサブ表示器１７及びカメラ１８は上部筐体１０Ａに開けられた窓部から露出することになるので対向面はないが、対向面があると想定した場合にその対向面）。
【００１９】
誘電体２０は、例えば薄いシート状に形成された高誘電体であり、両面テープで上部筐体１０Ａに貼り付けられている。なお、薄いシート状に形成して両面テープで貼り付ける以外に、高誘電体を蒸発させて上部筐体１０Ａの内部の底面上に付着（蒸着）させることも勿論可能である。高誘電体としては、セラミック素材（比誘電率１００以下）が好適であり、例えば高周波用途の常誘電体として、フォルステライト、酸化アルミニウム、ニオブ酸マグネシウム酸バリウム、チタン酸ネオジウム酸バリウムなどがある。
【００２０】
上部筐体１０Ａの第１の誘電率より高い第２の誘電率を有する誘電体２０を上部筐体１０Ａに設けることで、この誘電体２０の端部に電界が集中し、誘電体２０以外の部分におけるエネルギー密度が低減する。これにより、人体の顔への電力吸収が低減する。特に、誘電体２０をスピーカ１９とは上部筐体１０Ａの厚み方向の反対側に配置（人体の顔から離れる方向に配置）しているので、人体の顔への電力吸収を効果的に低減できる。これにより、誘電体２０を有しない従来の携帯無線機と比べて通話性能が向上する。即ち、受信時には感度が向上し、送信時には送信出力が向上する。
【００２１】
以上のように本実施の形態の携帯無線機１によれば、上部筐体１０Ａの内部の底面上で、上部筐体１０Ａの短手方向の略中央に第１の誘電率より高い第２の誘電率を有する誘電体２０を設けたので、誘電体２０の端部に電界が集中して誘電体２０を設けた部分以外の部分におけるエネルギー密度が低減し、これによって人体の顔への電力吸収が低減し、誘電体２０を有しない従来の携帯無線機と比べて通話性能の向上が図れる。また、誘電体２０を追加するだけなので、コストアップを最小限に抑えることができる。
【００２２】
なお、本実施の形態では、誘電体２０を上部筐体１０Ａにのみ設けたが、同様の誘電体２０を図３に示すように下部筐体１０Ｂにも設けても良い。特に、折り畳み式の携帯無線機１の場合、下部筐体１０Ｂを持つことが殆どであるので、図３に示すように誘電体２０を下部筐体１０Ｂに設けることで人体の手の影響を低減させることができる。この場合も当然ながら通話性能の向上が図れる。図３において点線で示す部分が手の触れる部分である。下部筐体１０Ｂに誘電体２０を取り付ける位置は蓋１６の裏面上が望ましい。この場合、薄いシート状に形成した高誘電体を両面テープで貼り付けるか、蓋１６の裏面上に高誘電体を蒸着させる。
【００２３】
また、上部筐体１０Ａと下部筐体１０Ｂの両方に誘電体２０を設ける場合、上部筐体１０Ａと下部筐体１０Ｂとで誘電体２０の誘電率を異ならせるようにしても良い。
【００２４】
（実施の形態２）
図４は、本発明の実施の形態２に係る携帯無線機の外観を示す斜視図である。同図おいて、本実施の形態の携帯無線機２は、筐体３０が１つのストレート式の携帯無線機である。筐体３０は第１の誘電率を有する非導体で構成される。筐体３０の上部には回路基板３１が内蔵されており、この回路基板３１には無線回路３２が実装されている。無線回路３２にはアンテナ素子３３が接続されている。筐体３０の上部及び下部のそれぞれの短手方向の略中央には、筐体３０の第１の誘電率より高い第２の誘電率を有する誘電体３４が設けられている。即ち、筐体３０の上部内の底面上と筐体３０の下部内の底面上のそれぞれに誘電体３４が設けられている。この場合、底面とは、筐体３０の上部の場合は表示器（図示略）が設けられる側の面と反対側の面のことであり、筐体３０の下部の場合はキー操作部（図示略）が設けられる側の面と反対側の面である。
【００２５】
誘電体３４は、実施の形態１で説明した誘電体２０と同様に例えば薄いシート状に形成された高誘電体であり、両面テープで筐体３０に貼り付けられる。なお、薄いシート状に形成して両面テープで貼り付ける以外に高誘電体を蒸発させて筐体３０の上部内の底面上と筐体３０の下部内の底面上のそれぞれに付着（蒸着）させることも勿論可能である。高誘電体としては、セラミック素材（比誘電率１００以下）が好適であり、例えば高周波用途の常誘電体として、フォルステライト、酸化アルミニウム、ニオブ酸マグネシウム酸バリウム、チタン酸ネオジウム酸バリウムなどがある。
【００２６】
筐体３０の上部及び下部に第１の誘電率より高い第２の誘電率を有する誘電体３４を設けることで、この誘電体３４に電界が集中し、誘電体３４以外の部分におけるエネルギー密度が低減する。これにより、人体の顔や手への電力吸収が低減する。特に、図５に示すように誘電体３４をスピーカ１９とは筐体３０の厚み方向の反対側に配置（人体の顔から離れる方向に配置）しているので、人体の顔への電力吸収を効果的に低減できる。これにより、誘電体３４を有しない従来の携帯無線機と比べて通話性能が向上する。即ち、受信時には感度が向上し、送信時には送信出力が向上する。なお、筐体３０の上部と下部の両方に誘電体３４を設ける場合、筐体３０の上部と下部とで誘電体３４の誘電率を異ならせるようにするようにしても良い。
【００２７】
以上のように本実施の形態の携帯無線機２によれば、筐体３０の上部と下部のそれぞれに第１の誘電率より高い第２の誘電率を有する誘電体３４を設けたので、それぞれの誘電体３４に電界が集中して誘電体３４を設けた部分以外の部分におけるエネルギー密度が低減し、これによって人体の顔や手への電力吸収が低減するので、誘電体３４を有しない従来の携帯無線機と比べて通話性能の向上が図れる。即ち、受信時には感度が向上し、送信時には送信出力が向上する。また、誘電体３４を追加するだけなので、コストアップを最小限に抑えることができる。
【００２８】
本発明は、上述した折り畳み式の携帯無線機１やストレート式の携帯無線機２の他に、２つの筐体からなり、一方の筐体を他方の筐体に対してスライドさせることで開閉するようにしたスライド式の携帯無線機にも適用可能である。また、通信機能を有するＰＤＡやノートパソコンや、トランシーバ等の無線機にも勿論適用可能である。
【産業上の利用可能性】
【００２９】
本発明は、低コストで人体の顔や手への電力吸収を低減できて通話性能の向上が図れるといった効果を有し、携帯電話やＰＨＳ等の携帯無線機への適用が可能である。
【図面の簡単な説明】
【００３０】
【図１】本発明の実施の形態１に係る携帯無線機の外観を示す背面図
【図２】図１の携帯無線機の使用中の状態を示す図
【図３】図１の携帯無線機の下部筐体に誘電体を設けた例を示す図
【図４】本発明の実施の形態２に係る携帯無線機の外観を示す斜視図
【図５】図４の携帯無線機における誘電体の位置を模式的に示す図
【符号の説明】
【００３１】
１、２  携帯無線機
１０Ａ  上部筐体
１０Ｂ  下部筐体
１１  ヒンジ部
１２、３１  回路基板
１３、３２  無線回路
１４、３３  アンテナ素子
１５  マイク
１６  蓋
１７  サブ表示器
１８  カメラ
１９  スピーカ
２０、３４  誘電体
３０  筐体
【図１】
2010161441.tif 000003
【図２】
2010161441.tif 000004
【図３】
2010161441.tif 000005
【図４】
2010161441.tif 000006
【図５】
2010161441.tif 000007